(57)【要約】【課題】汚泥中の無機物や有機物の微粒子がスケールとなって電極１ａ，１ｂの表面に付着し、電解槽１での塩素発生量が低下して、処理効果が低下することを抑制する。【解決手段】電解槽１への余剰汚泥Ｆの導入および電極１ａ，１ｂへの直流電圧印加を停止し、電解槽１内の滞留物を排出し、電解槽１内に洗浄水と空気とを導入し、次いで排出する。これを１回以上行い、その後、電解槽１への余剰汚泥Ｆの導入および電極１ａ，１ｂへの直流電圧印加を再開する。【効果】電極１ａ，１ｂの表面が洗浄される結果、スケールの付着が抑制され、塩素発生量の低下が抑制され、高い余剰汚泥処理能力を持続できる。【選択図】図１
2006326373.tif 000002
【特許請求の範囲】
【請求項１】
生物学的汚水処理手段で発生した余剰汚泥を電解槽で基質化する余剰汚泥処理装置の運転方法であって、前記電解槽への前記余剰汚泥の導入および通電を停止し、前記電解槽内の滞留物を排出し、前記電解槽内に洗浄水と空気とを導入し次いで排出することを１回以上行い、その後、前記電解槽への前記余剰汚泥の導入および通電を再開することを特徴とする余剰汚泥処理装置の運転方法。
【請求項２】
生物学的汚水処理手段で発生した余剰汚泥を基質化するための電解槽と、前記余剰汚泥を前記電解槽へ導入したり導入を停止したりするための余剰汚泥移送手段と、前記電解槽へ通電したり通電を停止したりするための通電手段と、前記電解槽内の滞留物を排出するための排出手段と、前記電解槽内に洗浄水を導入したり導入を停止したりするための洗浄水供給手段と、前記電解槽内に空気を導入したり導入を停止したりするための空気供給手段と、前記各手段を制御するための制御手段とを具備し、前記制御手段は、前記余剰汚泥移送手段および前記通電手段を制御して前記電解槽への前記余剰汚泥の導入および通電を停止し、前記排出手段を制御して前記電解槽内の滞留物を排出し、前記洗浄水供給手段および前記空気供給手段および前記排出手段を制御して前記前記電解槽内に洗浄水と空気とを導入し次いで排出することを１回以上行い、その後、前記余剰汚泥移送手段および前記通電手段を制御して前記電解槽への前記余剰汚泥の導入および通電を再開することを特徴とする余剰汚泥処理装置。
【請求項３】
生物学的汚水処理手段で発生した余剰汚泥を電解槽で基質化する余剰汚泥処理装置の運転方法であって、前記電解槽への前記余剰汚泥の導入および通電を停止し、前記電解槽内の滞留物を排出し、前記電解槽内に薬液と空気とを導入し次いで排出することを１回以上行い、その後、前記電解槽への前記余剰汚泥の導入および通電を再開することを特徴とする余剰汚泥処理装置の運転方法。
【請求項４】
生物学的汚水処理手段で発生した余剰汚泥を基質化するための電解槽と、前記余剰汚泥を前記電解槽へ導入したり導入を停止したりするための余剰汚泥移送手段と、前記電解槽へ通電したり通電を停止したりするための通電手段と、前記電解槽内の滞留物を排出するための排出手段と、前記電解槽内に薬液を導入したり導入を停止したりするための薬液供給手段と、前記電解槽内に空気を導入したり導入を停止したりするための空気供給手段と、前記各手段を制御するための制御手段とを具備し、前記制御手段は、前記余剰汚泥移送手段および前記通電手段を制御して前記電解槽への前記余剰汚泥の導入および通電を停止し、前記排出手段を制御して前記電解槽内の滞留物を排出し、前記薬液供給手段と前記空気供給手段と前記排出手段とを制御して前記前記電解槽内に薬液と空気とを導入し次いで排出することを１回以上行い、その後、前記余剰汚泥移送手段および前記通電手段を制御して前記電解槽への前記余剰汚泥の導入および通電を再開することを特徴とする余剰汚泥処理装置。
【発明の詳細な説明】
【技術分野】
【０００１】
本発明は、余剰汚泥処理装置の運転方法および余剰汚泥処理装置に関し、さらに詳しくは、塩素発生量が低下し処理効果が低下することを抑制できるようにした余剰汚泥処理装置の運転方法および余剰汚泥処理装置に関する。
【背景技術】
【０００２】
従来、生物学的汚水処理手段で発生した余剰汚泥を電解槽で基質化する余剰汚泥処理装置が知られている（特許文献１，２参照）。
【０００３】
【特許文献１】特開２００３−６２５９２号公報
【特許文献２】特開２００２−１２６７８２号公報
【発明の開示】
【発明が解決しようとする課題】
【０００４】
図７に示すように、上記従来の余剰汚泥処理装置で運転を継続していると、電解槽での塩素発生量が徐々に低下する。これは、汚泥中の無機物や有機物の微粒子がスケールとなって電解槽内の電極の表面に徐々に付着するのが原因である。
しかし、塩素発生量が低下すると、処理効果が低下してしまう問題点がある。
そこで、本発明の目的は、塩素発生量が低下し処理効果が低下することを抑制できるようにした余剰汚泥処理装置の運転方法および余剰汚泥処理装置を提供することにある。
【課題を解決するための手段】
【０００５】
第１の観点では、本発明は、生物学的汚水処理手段で発生した余剰汚泥を電解槽で基質化する余剰汚泥処理装置の運転方法であって、前記電解槽への前記余剰汚泥の導入および通電を停止し、前記電解槽内の滞留物を排出し、前記電解槽内に洗浄水と空気とを導入し次いで排出することを１回以上行い、その後、前記電解槽への前記余剰汚泥の導入および通電を再開することを特徴とする余剰汚泥処理装置の運転方法を提供する。
上記第１の観点による余剰汚泥処理装置の運転方法では、運転中に余剰汚泥の導入および通電を停止し、電解槽内の滞留物を排出してから、洗浄水と空気とを導入する。この時に空気で撹拌された洗浄水が電極面を洗う撹拌効果および空気で波立つ水面が上昇しながら電極面を叩く波動効果により、電極面が洗浄される。これを１回以上行ってから、余剰汚泥の導入および通電を再開し、運転を継続する。これにより、汚泥中の無機物や有機物の微粒子がスケールとなって電極表面に付着するのが抑制される。この結果、塩素発生量が低下し、処理効果が低下することを抑制できるようになる。
なお、洗浄後に電解槽から排出した洗浄水を生物学的汚水処理手段に戻すことにより、汚れた洗浄水を浄化できる。
【０００６】
第２の観点では、本発明は、生物学的汚水処理手段で発生した余剰汚泥を基質化するための電解槽と、前記余剰汚泥を前記電解槽へ導入したり導入を停止したりするための余剰汚泥移送手段と、前記電解槽へ通電したり通電を停止したりするための通電手段と、前記電解槽内の滞留物を排出するための排出手段と、前記電解槽内に洗浄水を導入したり導入を停止したりするための洗浄水供給手段と、前記電解槽内に空気を導入したり導入を停止したりするための空気供給手段と、前記各手段を制御するための制御手段とを具備し、前記制御手段は、前記余剰汚泥移送手段および前記通電手段を制御して前記電解槽への前記余剰汚泥の導入および通電を停止し、前記排出手段を制御して前記電解槽内の滞留物を排出し、前記洗浄水供給手段および前記空気供給手段および前記排出手段を制御して前記前記電解槽内に洗浄水と空気とを導入し次いで排出することを１回以上行い、その後、前記余剰汚泥移送手段および前記通電手段を制御して前記電解槽への前記余剰汚泥の導入および通電を再開することを特徴とする余剰汚泥処理装置を提供する。
上記第２の観点による余剰汚泥処理装置では、前記第１の観点による余剰汚泥処理装置の運転方法を好適に実施できる。
【０００７】
第３の観点では、本発明は、生物学的汚水処理手段で発生した余剰汚泥を電解槽で基質化する余剰汚泥処理装置の運転方法であって、前記電解槽への前記余剰汚泥の導入および通電を停止し、前記電解槽内の滞留物を排出し、前記電解槽内に薬液と空気とを導入し次いで排出することを１回以上行い、その後、前記電解槽への前記余剰汚泥の導入および通電を再開することを特徴とする余剰汚泥処理装置の運転方法を提供する。
上記第３の観点による余剰汚泥処理装置の運転方法では、運転中に余剰汚泥の導入および通電を停止し、電解槽内の滞留物を排出してから、薬液と空気とを導入する。この時に空気で撹拌された薬液が電極面を洗う撹拌効果および空気で波立つ液面が上昇しながら電極面を叩く波動効果により、電極面が洗浄される。これを１回以上行ってから、余剰汚泥の導入および通電を再開し、運転を継続する。これにより、汚泥中の無機物や有機物の微粒子がスケールとなって電極表面に付着するのが抑制される。この結果、塩素発生量が低下し、処理効果が低下することを抑制できるようになる。
なお、薬液を用いるため、高い洗浄効果が得られる。
【０００８】
第４の観点では、本発明は、生物学的汚水処理手段で発生した余剰汚泥を基質化するための電解槽と、前記余剰汚泥を前記電解槽へ導入したり導入を停止したりするための余剰汚泥移送手段と、前記電解槽へ通電したり通電を停止したりするための通電手段と、前記電解槽内の滞留物を排出するための排出手段と、前記電解槽内に薬液を導入したり導入を停止したりするための薬液供給手段と、前記電解槽内に空気を導入したり導入を停止したりするための空気供給手段と、前記各手段を制御するための制御手段とを具備し、前記制御手段は、前記余剰汚泥移送手段および前記通電手段を制御して前記電解槽への前記余剰汚泥の導入および通電を停止し、前記排出手段を制御して前記電解槽内の滞留物を排出し、前記薬液供給手段と前記空気供給手段と前記排出手段とを制御して前記前記電解槽内に薬液と空気とを導入し次いで排出することを１回以上行い、その後、前記余剰汚泥移送手段および前記通電手段を制御して前記電解槽への前記余剰汚泥の導入および通電を再開することを特徴とする余剰汚泥処理装置を提供する。
上記第４の観点による余剰汚泥処理装置では、前記第３の観点による余剰汚泥処理装置の運転方法を好適に実施できる。
【発明の効果】
【０００９】
本発明の余剰汚泥処理装置の運転方法および余剰汚泥処理装置によれば、汚泥中の無機物や有機物の微粒子がスケールとなって電極表面に付着するのが抑制される結果、電解槽での塩素発生量が低下して処理効果が低下することを抑制できるようになる。
【発明を実施するための最良の形態】
【００１０】
以下、図に示す実施例により本発明をさらに詳細に説明する。なお、これにより本発明が限定されるものではない。
【実施例１】
【００１１】
図１は、実施例１に係る余剰汚泥処理装置１００を示す構成図である。
この余剰汚泥処理装置１００は、電解槽１と、電解槽１の電極１ａ，１ｂに直流電圧を印加したり印加を停止したりするための電源部２と、生物学的汚水処理装置Ｘで発生した余剰汚泥Ｆと電解槽１で基質化後の電解汚泥Ｇとを混合するための循環槽３と、電解槽１と循環槽３の間で汚泥を循環させるための循環ポンプＰ１と、余剰汚泥Ｆ１を循環槽３へ導入したり導入を停止したりするための導入ポンプＰ２と、塩水を貯留するための塩水槽４と、循環槽３へ塩水槽４から塩水を供給するための塩水ポンプＰ３と、電解槽１内の滞留物を排出するためのドレン弁Ｖ１と、電解槽１内に洗浄水を導入したり導入を停止したりするための洗浄水ポンプＰ４と、電解槽１内に空気を導入したり導入を停止したりするための空気ポンプＰ５と、電解汚泥Ｇなどを生物学的汚水処理装置Ｘへ返送するための返送弁Ｖ２と、電源部２などを制御するための制御部５とを具備している。
【００１２】
生物学的汚水処理装置Ｘは、汚水を生物学的に処理するための曝気槽Ａと、生物学的処理により発生した余剰汚泥Ｆを沈殿させるための沈殿槽Ｂとを具備している。
【００１３】
図２は、制御部５により実行される余剰汚泥処理の手順を示すフロー図である。
ステップＳ１では、導入ポンプＰ２を駆動して余剰汚泥Ｆを生物学的汚水処理装置Ｘの沈殿槽Ｂから循環槽３に導入すると共に、循環ポンプＰ１を駆動して電解槽１と循環槽３の間で汚泥を循環させ、さらに電源部２から直流電圧を電極１ａ，１ｂ間に印加する。また、返送弁Ｖ２を開き、循環槽３から生物学的汚水処理装置Ｘの曝気槽Ａへ、電解汚泥Ｇを返送する。これを継続し、例えば午前３時になると、ステップＳ２へ進む。
【００１４】
ステップＳ２では、導入ポンプＰ２を停止して余剰汚泥Ｆの導入を停止すると共に、循環ポンプＰ１を停止して汚泥の循環を停止させ、さらに電源部２からの直流電圧の印加を停止する。また、返送弁Ｖ２を閉じて電解汚泥Ｇの返送を停止する。
ステップＳ３では、ドレン弁Ｖ１を開いて電解槽１内の滞留物を生物学的汚水処理装置Ｘの曝気槽Ａへ返送する。電解槽１が空になったら、ドレン弁Ｖ１を閉じる。そして、ステップＳ４へ進む。
ステップＳ４では、反復カウンタｎの値を「１」に初期化する。
【００１５】
ステップＳ５では、洗浄水ポンプＰ４を駆動して、生物学的汚水処理装置Ｘの沈殿槽Ｂで得られた処理水を洗浄水として電解槽１に供給する。なお、洗浄水として水道水，地下水，雨水などを使用してもよい。
ステップＳ６では、空気ポンプＰ５を駆動して空気を電解槽１に供給する。
ステップＳ７では、電解槽１が満水になるまで洗浄水と空気の供給を継続する。電解槽１が満水になったらステップＳ８へ進む。
【００１６】
ステップＳ８では、洗浄水ポンプＰ４を停止して洗浄水の供給を停止する。
ステップＳ９では、空気ポンプＰ５を停止して空気の供給を停止する。
ステップＳ１０では、ドレン弁Ｖ１を開き、電解槽１内の滞留物を生物学的汚水処理装置Ｘの曝気槽Ａへ返送する。電解槽１が空になったら、ドレン弁Ｖ１を閉じる。そして、ステップＳ１１へ進む。
【００１７】
ステップＳ１１では、反復カウンタｎの値を「１」だけ増加させる。
ステップＳ１２では、反復カウンタｎの値が所定数Ｎ（例えばＮ＝３）以下ならステップＳ５に戻り、そうでなければステップＳ１に戻る。
【００１８】
−評価試験−
図３は、電解槽１の容量３０Ｌ，処理量２０Ｌ／分，洗浄回数１回／日，洗浄水量１５Ｌ／分，空気量３０Ｌ／分で余剰汚泥Ｆを処理した結果である。
１００日運転後の塩素発生量は、開始時の８０％になった。
なお、洗浄を行わない場合は、図７に示すように、１００日運転後の塩素発生量は、開始時の５０％にまで低下した。
【００１９】
実施例１に係る余剰汚泥処理装置１００によれば、汚泥中の無機物や有機物の微粒子がスケールとなって電極１ａ，１ｂの表面に付着するのが抑制される結果、電解槽１での塩素発生量が低下して処理効果が低下することを抑制できるようになる。また、洗浄後に電解槽１から排出した洗浄水を生物学的汚水処理装置Ｘに戻すことにより、汚れた洗浄水を浄化できる。
【実施例２】
【００２０】
図４は、実施例２に係る余剰汚泥処理装置２００を示す構成図である。
この余剰汚泥処理装置２００は、実施例１の余剰汚泥処理装置１００と基本的に同じであるが、電解槽１に薬液を供給するための薬液ポンプＰ７と、電解槽１内の滞留物を廃棄するための廃棄弁Ｖ４とを追加した構成である。
薬液は、塩酸溶液や水酸化ナトリウム溶液のような酸類およびアルカリ類，還元剤であるシュウ酸溶液、酸化剤である次亜塩素ナトリウム溶液などを使用する。複数の薬液を順番に使用してもよい。
【００２１】
図５は、実施例２に係る余剰汚泥処理の手順を示すフロー図である。
ステップＳ５’〜ステップＳ１０’以外は、実施例１と同じであるので、ステップＳ５’〜ステップＳ１０’のみについて説明する。
【００２２】
ステップＳ５’では、洗浄水ポンプＰ４を駆動して洗浄水を電解槽１に供給すると共に、薬液ポンプＰ７を駆動して薬液を電解槽１に供給する。
ステップＳ６では、空気ポンプＰ５を駆動して空気を電解槽１に供給する。
ステップＳ７では、電解槽１が満水になるまで洗浄水と空気の供給を継続する。電解槽１が満水になったらステップＳ８へ進む。
【００２３】
ステップＳ８’では、洗浄水ポンプＰ４を停止して洗浄水の供給を停止すると共に、薬液ポンプＰ７を停止して薬液の供給を停止する。
ステップＳ９では、空気ポンプＰ５を停止して空気の供給を停止する。
ステップＳ１０’では、ドレン弁Ｖ１を開き、廃棄弁Ｖ３を開いて、電解槽１内の滞留物を廃棄する。滞留物の生物処理に与える影響が小さい場合は、滞留物を廃棄せずに曝気槽Ａに送ってもよい。電解槽１が空になったら、ドレン弁Ｖ１を閉じ、排気弁Ｖ３を閉じる。そして、ステップＳ１１へ進む。
【００２４】
−評価試験−
図６は、電解槽１の容量３０Ｌ，処理量２０Ｌ／分，洗浄回数１回／日，洗浄水量１５Ｌ／分，薬液供給量１Ｌ／分で余剰汚泥Ｆを処理した結果である。薬液は、１７.５％塩酸を使用した。
１００日運転後の塩素発生量は、開始時の９０％であった。
【００２５】
実施例２に係る余剰汚泥処理装置２００によれば、汚泥中の無機物や有機物の微粒子がスケールとなって電極１ａ，１ｂの表面に付着するのが抑制される結果、電解槽１での塩素発生量が低下して処理効果が低下することを抑制できるようになる。また、洗浄水だけでなく薬液をも用いるため、高い洗浄効果が得られる。さらに、高濃度の薬液を洗浄水で希釈できる構成となっているため、図示されていない薬液槽を小型にすることが出来る。
【実施例３】
【００２６】
上述の実施例２のように薬液と共に洗浄水を電解槽１に供給するのではなく、洗浄に適した濃度に調整した薬液のみを電解槽１に供給して電解槽１の洗浄を行ってもよい。
【産業上の利用可能性】
【００２７】
本発明の余剰汚泥処理装置の運転方法および余剰汚泥処理装置は、水道分野の浄水処理、下水処理、工業用水処理に利用できる。
【図面の簡単な説明】
【００２８】
【図１】実施例１に係る余剰汚泥処理装置を示す構成図である。
【図２】実施例１に係る余剰汚泥処理の手順を示すフロー図である。
【図３】実施例１に係る余剰汚泥処理装置による塩素発生量の変化を示す図表である。
【図４】実施例２に係る余剰汚泥処理装置を示す構成図である。
【図５】実施例２に係る余剰汚泥処理の手順を示すフロー図である。
【図６】実施例２に係る余剰汚泥処理装置による塩素発生量の変化を示す図表である。
【図７】従来の余剰汚泥処理装置による塩素発生量の変化を示す図表である。
【符号の説明】
【００２９】
１                電解槽
２                電源部
３                循環槽
４                塩水槽
５                制御部
１００，２００    余剰汚泥処理装置
Ｐ１              循環ポンプ
Ｐ２              導入ポンプ
Ｐ３              塩水ポンプ
Ｐ４              洗浄水ポンプ
Ｐ５              空気ポンプ
Ｐ７              薬液ポンプ
Ｖ１              ドレン弁
Ｖ２              返送弁
Ｖ３              廃棄弁
Ｘ                生物学的汚水処理装置
【図１】
2006326373.tif 000003
【図２】
2006326373.tif 000004
【図３】
2006326373.tif 000005
【図４】
2006326373.tif 000006
【図５】
2006326373.tif 000007
【図６】
2006326373.tif 000008
【図７】
2006326373.tif 000009
【手続補正書】
【提出日】平成17年5月25日(2005.5.25)
【手続補正１】
【補正対象書類名】特許請求の範囲
【補正対象項目名】請求項２
【補正方法】変更
【補正の内容】
【請求項２】
生物学的汚水処理手段で発生した余剰汚泥を基質化するための電解槽と、前記余剰汚泥を前記電解槽へ導入したり導入を停止したりするための余剰汚泥移送手段と、前記電解槽へ通電したり通電を停止したりするための通電手段と、前記電解槽内の滞留物を排出するための排出手段と、前記電解槽内に洗浄水を導入したり導入を停止したりするための洗浄水供給手段と、前記電解槽内に空気を導入したり導入を停止したりするための空気供給手段と、前記各手段を制御するための制御手段とを具備し、前記制御手段は、前記余剰汚泥移送手段および前記通電手段を制御して前記電解槽への前記余剰汚泥の導入および通電を停止し、前記排出手段を制御して前記電解槽内の滞留物を排出し、前記洗浄水供給手段および前記空気供給手段および前記排出手段を制御して前記電解槽内に洗浄水と空気とを導入し次いで排出することを１回以上行い、その後、前記余剰汚泥移送手段および前記通電手段を制御して前記電解槽への前記余剰汚泥の導入および通電を再開することを特徴とする余剰汚泥処理装置。
【手続補正２】
【補正対象書類名】特許請求の範囲
【補正対象項目名】請求項４
【補正方法】変更
【補正の内容】
【請求項４】
生物学的汚水処理手段で発生した余剰汚泥を基質化するための電解槽と、前記余剰汚泥を前記電解槽へ導入したり導入を停止したりするための余剰汚泥移送手段と、前記電解槽へ通電したり通電を停止したりするための通電手段と、前記電解槽内の滞留物を排出するための排出手段と、前記電解槽内に薬液を導入したり導入を停止したりするための薬液供給手段と、前記電解槽内に空気を導入したり導入を停止したりするための空気供給手段と、前記各手段を制御するための制御手段とを具備し、前記制御手段は、前記余剰汚泥移送手段および前記通電手段を制御して前記電解槽への前記余剰汚泥の導入および通電を停止し、前記排出手段を制御して前記電解槽内の滞留物を排出し、前記薬液供給手段と前記空気供給手段と前記排出手段とを制御して前記電解槽内に薬液と空気とを導入し次いで排出することを１回以上行い、その後、前記余剰汚泥移送手段および前記通電手段を制御して前記電解槽への前記余剰汚泥の導入および通電を再開することを特徴とする余剰汚泥処理装置。
【手続補正３】
【補正対象書類名】明細書
【補正対象項目名】０００６
【補正方法】変更
【補正の内容】
【０００６】
第２の観点では、本発明は、生物学的汚水処理手段で発生した余剰汚泥を基質化するための電解槽と、前記余剰汚泥を前記電解槽へ導入したり導入を停止したりするための余剰汚泥移送手段と、前記電解槽へ通電したり通電を停止したりするための通電手段と、前記電解槽内の滞留物を排出するための排出手段と、前記電解槽内に洗浄水を導入したり導入を停止したりするための洗浄水供給手段と、前記電解槽内に空気を導入したり導入を停止したりするための空気供給手段と、前記各手段を制御するための制御手段とを具備し、前記制御手段は、前記余剰汚泥移送手段および前記通電手段を制御して前記電解槽への前記余剰汚泥の導入および通電を停止し、前記排出手段を制御して前記電解槽内の滞留物を排出し、前記洗浄水供給手段および前記空気供給手段および前記排出手段を制御して前記電解槽内に洗浄水と空気とを導入し次いで排出することを１回以上行い、その後、前記余剰汚泥移送手段および前記通電手段を制御して前記電解槽への前記余剰汚泥の導入および通電を再開することを特徴とする余剰汚泥処理装置を提供する。
上記第２の観点による余剰汚泥処理装置では、前記第１の観点による余剰汚泥処理装置の運転方法を好適に実施できる。
【手続補正４】
【補正対象書類名】明細書
【補正対象項目名】０００８
【補正方法】変更
【補正の内容】
【０００８】
第４の観点では、本発明は、生物学的汚水処理手段で発生した余剰汚泥を基質化するための電解槽と、前記余剰汚泥を前記電解槽へ導入したり導入を停止したりするための余剰汚泥移送手段と、前記電解槽へ通電したり通電を停止したりするための通電手段と、前記電解槽内の滞留物を排出するための排出手段と、前記電解槽内に薬液を導入したり導入を停止したりするための薬液供給手段と、前記電解槽内に空気を導入したり導入を停止したりするための空気供給手段と、前記各手段を制御するための制御手段とを具備し、前記制御手段は、前記余剰汚泥移送手段および前記通電手段を制御して前記電解槽への前記余剰汚泥の導入および通電を停止し、前記排出手段を制御して前記電解槽内の滞留物を排出し、前記薬液供給手段と前記空気供給手段と前記排出手段とを制御して前記電解槽内に薬液と空気とを導入し次いで排出することを１回以上行い、その後、前記余剰汚泥移送手段および前記通電手段を制御して前記電解槽への前記余剰汚泥の導入および通電を再開することを特徴とする余剰汚泥処理装置を提供する。
上記第４の観点による余剰汚泥処理装置では、前記第３の観点による余剰汚泥処理装置の運転方法を好適に実施できる。
【手続補正書】
【提出日】平成17年5月25日(2005.5.25)
【手続補正１】
【補正対象書類名】明細書
【補正対象項目名】００２０
【補正方法】変更
【補正の内容】
【００２０】
図４は、実施例２に係る余剰汚泥処理装置２００を示す構成図である。
この余剰汚泥処理装置２００は、実施例１の余剰汚泥処理装置１００と基本的に同じであるが、電解槽１に薬液を供給するための薬液ポンプＰ７と、電解槽１内の滞留物を廃棄するための廃棄弁Ｖ３とを追加した構成である。
薬液は、塩酸溶液や水酸化ナトリウム溶液のような酸類およびアルカリ類，還元剤であるシュウ酸溶液、酸化剤である次亜塩素ナトリウム溶液などを使用する。複数の薬液を順番に使用してもよい。
【手続補正２】
【補正対象書類名】明細書
【補正対象項目名】００２３
【補正方法】変更
【補正の内容】
【００２３】
ステップＳ８’では、洗浄水ポンプＰ４を停止して洗浄水の供給を停止すると共に、薬液ポンプＰ７を停止して薬液の供給を停止する。
ステップＳ９では、空気ポンプＰ５を停止して空気の供給を停止する。
ステップＳ１０’では、ドレン弁Ｖ１を開き、廃棄弁Ｖ３を開いて、電解槽１内の滞留物を廃棄する。滞留物の生物処理に与える影響が小さい場合は、滞留物を廃棄せずに曝気槽Ａに送ってもよい。電解槽１が空になったら、ドレン弁Ｖ１を閉じ、廃棄弁Ｖ３を閉じる。そして、ステップＳ１１へ進む。